(57)【要約】【課題】予約ジョブ機能を有する画像形成装置において、予約ジョブの保護機能を設ける事で所望の予約ジョブを正確に行うと共に所望の予約ジョブ終了時間等を正確に実行する事で、コピー動作、予約ジョブの円滑な実行を目的としている。【解決手段】▲１▼ユーザー指定のパスワードにより予約ジョブを管理し、保護を行う。▲２▼ユーザー所有の管理カード、管理キーにより予約ジョブを管理し、保護を行う。▲３▼蓄積されている予約ジョブの残件数、待ち時間をディスプレイに表示し、新規予約ジョブ以外入力不可能として予約ジョブを管理し、保護を行う。【選択図】　　　　図１
2004009419.tif 000002
【特許請求の範囲】
【請求項１】
所望の画像形成動作が即座に動作不可能である場合に、所望の画像形成動作の先行予約として画像形成装置に所望の画像を記録，蓄積できる画像記録機能と、所望の画像形成動作を記録できる動作記録機能（以後、予約ジョブ機能と記す）を有する画像形成装置において予約ジョブ機能の保護，管理機能を有する事を特徴とする画像形成装置。
【請求項２】
前記、請求項１記載の予約ジョブ機能を有する画像形成装置において、予約ジョブ機能の保護，管理機能として、ＵＳＥＲが予約ジョブを行う際にパスワードを入力し、予約ジョブの削除，変更する際には、パスワードが一致しない予約ジョブの削除，変更は認められないパスワードによる予約ジョブの保護，管理機能を有する事を特徴とする請求項１記載の画像形成装置。
【請求項３】
前記、請求項１記載の予約ジョブ機能を有する画像形成装置において、予約ジョブ機能の保護，管理機能として、ＵＳＥＲが予約ジョブを行う際の管理カード，管理キーの使用により予約ジョブの保護，管理を行い、予約ジョブを行ったＵＳＥＲの管理カード，管理キーでのみ予約ジョブの削除を受け付ける、ＵＳＥＲ指定の管理カード，管理キーによる予約ジョブの保護，管理機能を有する請求項１記載の画像形成装置。
【請求項４】
前記、請求項３記載の予約ジョブ機能を有する画像形成装置において、管理カード，管理キーによる予約ジョブの入力の際に予約ジョブ読込み時に読込みカウンターに加算され、前記請求項３記載手法により予約ジョブの削除が認められた場合、削除された予約文書のカウントは、出力なしカウンターに加算され、後に読込みカウンターに加算された読込み枚数により、出力なしカウンターに加算された出力なし読込み受付け枚数を除算し、全ての枚数を計測できる読込みカウンターと読込み出力なしカウンターを有する事を特徴とする請求項１，請求項３記載画像形成装置。
【請求項５】
前記、請求項１記載の予約ジョブ機能を有する画像形成装置において、予約ジョブ蓄積時にディスプレイに蓄積予約ジョブ残件数，待ち時間を表示し、新規予約ジョブの入力のみ受け付ける機能を有する事を特徴とする請求項１記載の画像形成装置。
【発明の詳細な説明】
【０００１】
【発明の属する技術分野】
本発明は、複合機能の画像形成装置に於ける、画像を記録，蓄積できる機能と所望の画像形成動作を記録できる動作記録機能の保護，管理に関するものである。
【０００２】
【従来の技術】
従来、所望の画像形成動作が即座に動作不可能である場合に、所望の画像形成動作の先行予約として画像形成装置に所望の画像を記録、蓄積できる機能と所望の画像形成動作を記録できる動作記録機能を有する物がある。例えば、▲１▼のＵＳＥＲがＡ４，両−両，１０部をコピー中に▲２▼のＵＳＥＲがＡ４，片−片，３０部を予約し、次に▲３▼のＵＳＥＲがＡ３，片−両，１０部を予約すると云った具合である。しかし、次に▲４▼のＵＳＥＲが急ぎの資料のコピーとして、どうしても予約の優先順位を上げなくてはならない場合、蓄積されている予約ジョブの順位の変更，並びに削除が容易に可能な構成が考案されている。
【０００３】
【発明が解決しようとする課題】
しかしながら、上記従来例では予約ジョブを行ったＵＳＥＲ以外でも容易に予約ジョブの削除，変更が出来てしまうため所望の画像形成動作が正確に行われない等の問題が生じる。
【０００４】
上記問題より、予約ジョブの保護機能を有する事で所望の予約ジョブを正確に行う事と共に所望の予約ジョブ終了時間等を正確に実行する事で、コピー動作，予約ジョブの円滑な実行を目的としている。
【０００５】
【課題を解決するための手段】
（１）予約ジョブ機能を有する画像形成装置において、予約ジョブ使用の際に蓄積予約画像，蓄積予約画像形成動作の保護，管理機能を備えた複合機能の画像形成装置。
【０００６】
（２）予約ジョブ機能を有する画像形成装置において、予約ジョブを使用する際の保護，管理機能として、ＵＳＥＲが予約ジョブを行う際にパスワードを入力し、予約ジョブの削除，変更する際には、ＵＳＥＲが予約ジョブを行う際に入力したパスワードを入力しパスワードが一致しない場合は、予約ジョブの削除，変更が認められない、パスワードによる予約ジョブの入力，設定，保護機能を備えた前記（１）記載の複合機能の画像形成装置。
【０００７】
（３）予約ジョブ機能を有する画像形成装置において、予約ジョブを使用する際の保護，管理機能として、ＵＳＥＲが予約ジョブを行う際に使用する管理カード，管理キー等のジョブ管理装置により予約ジョブの保護，管理を行い、予約ジョブを行ったＵＳＥＲの管理カード，管理キーでのみ予約ジョブの削除を受け付ける、ＵＳＥＲ指定のジョブ管理装置による予約ジョブの入力，設定，保護機能を備えた前記（１），記載の複合機能の画像形成装置。
【０００８】
（３）予約ジョブ機能を有する画像形成装置において、予約ジョブを使用する際管理カード，管理キーによる予約ジョブの入力の際に予約ジョブ読込み時に読込みカウンターに加算され、予約ジョブの前記（２）記載の手法により削除が認められた場合、削除された予約文書のカウントは、出力なしカウンターに加算され、後に読込みカウンターに加算された読込み枚数より、出力なしカウンターに加算された枚数を除算する機能を設けた前記（１），（３）記載の複合機能の画像形成装置並びに、ジョブ管理装置。
【０００９】
（５）予約ジョブ機能を有する画像形成装置において、予約ジョブ蓄積時にディスプレイに蓄積予約ジョブ残件数，待ち時間を表示し、新規予約ジョブの入力のみ受け付ける機能を備えた前記（１）記載の複合機能の画像形成装置。
【００１０】
（作用）
前記（１）〜（５）の構成によれば、蓄積されている予約ジョブの保護，管理ができ、コピー動作．予約ジョブを円滑に行う事が出来る。
【００１１】
【発明の実施の形態】
（第１の実施形態）
図２は実施形態１である予約ジョブ機能を備えた複合機能の画像形成装置の予約ジョブ機能の保護，管理を示したフローチャートである。例えば、▲１▼のＵＳＥＲが予約ジョブを行う際の予約キー（図２，▲５▼）入力時に、▲１▼のＵＳＥＲ特定のパスワードをテンキーにより入力する事によって、▲１▼のＵＳＥＲの予約ジョブデータがパスワードにより保護，管理される。次に、▲２▼のＵＳＥＲが急ぎの資料のコピーが有るので予約ジョブの優先順位の変更，削除を行うために予約ジョブの変更キー（図２，▲６▼）を押すとパスワード入力の指示が出され、テンキーによりパスワードを入力するが、▲２▼のＵＳＥＲは▲１▼のＵＳＥＲのパスワードを入力できないため予約ジョブの削除，優先順位の変更は無効になり▲１▼のＵＳＥＲの予約ジョブが優先的に実行となる。また、▲１▼のＵＳＥＲが後に予約ジョブの削除，並びに動作の変更をする際は、同様に予約ジョブの変更キーを入力時に▲１▼のＵＳＥＲのパスワードを入力する事によって予約ジョブの保護が解かれ、予約ジョブの変更，削除が可能になる。
【００１２】
（第２の実施形態）
図３は実施形態２である予約ジョブ機能を備えた画像形成装置の予約ジョブ機能の保護，管理を示したフローチャートである。本実施形態は、ＵＳＥＲ所有の管理カード，管理キー等ジョブ管理装置を設けた複合機能の画像形成装置で予約ジョブ機能を使用時の予約キー投入時にＵＳＥＲ所有の管理カード，管理キー等により入力された予約ジョブの管理を行う。
【００１３】
フローチャートは、▲１▼のユーザー（通常ジョブ）、▲２▼のユーザー（予約１），▲３▼のユーザー（予約２）が、行われている場合に▲３▼のユーザーが予約２のジョブを削除する際のフローチャートである。
【００１４】
まず▲１▼により、管理カード，管理キーの管理の下でジョブ入力が行われる。また、入力，読み込みされたジョブは、読み込み変数Ｒｎ＝１で内部メモリに記憶され、さらにジョブ入力を行う際は、複写機本体からの読み込み可能信号Ｒ＝０により読み込み可能か，読み込み不可能か判断されている。
【００１５】
つぎに、▲２▼のユーザーにより予約２が行われる際にも、フローで示す様に管理カード，管理キーを挿入し、予約キー，予約ジョブの入力した後に予約２ジョブの読み込みがされる。また、通常ジョブ読み込みと同様に予約２ジョブ入力を行う際は、複写機本体からの読み込み可能信号Ｒ＝０により読み込み管理されていると共に、読み込まれた予約２ジョブは、Ｒｎ＝２で内部メモリに記憶され。また、▲３▼のユーザーによる予約３の動作も予約２同様で読み込まれた予約３ジョブは、Ｒｎ＝３で内部メモリに記憶される。
【００１６】
また、読み込みされたジョブの出力については、プリント出力部のルーチンに従って行われる。
【００１７】
基本動作は、Ｒｎ番目の出力をスタートさせ、終了する毎に、出力済みカウンターに出力変数Ｐｎ＝Ｐｎ＋１で蓄積され、次にＲｎ（読み込み変数）＝Ｐｎ（出力変数）＋１に該当するＲｎ（読み込みカウンター）が無ければ終了となる。
【００１８】
従って、フローの流れで先ずＲｎ＝１（通常ジョブ）が出力され、出力済みカウンターＰｎ＝１なのでＹ４部でのＲｎは、Ｒｎ＝２となり予約２ジョブが実行される。同様に、出力済みカウンターがＰｎ＝２になった後に予約３も実行となる。しかし、Ｙ３において、Ｐｎ＝２が未設定の場合、つまり、予約２のジョブが出力完了されていない場合に▲３▼のユーザーが予約３の削除を管理キー，管理カードの管理の下においてＰｎ＜３の時に実行すれば予約２出力終了時のＹ４においてＲｎ＝Ｐｎ＋１＝３はすでに存在しないため予約３は実行されずに終了になる。
【００１９】
また、カウンターについては、図４に示す様に先ずコントローラー内部の本体カウンターからの終了通知Ｐｎを受け取り、管理カード，管理キーカウンター内のＢ（出力なしカウンター），Ｃ（出力予定カウンター）に蓄積し、後にＣ（出力予定カウンター）からＢ（出力なしカウンター）を引く事で正確なＡ（総数カウンター）が算出できる。
【００２０】
（第３の実施形態）
予約ジョブが蓄積されている場合、その蓄積されている予約ジョブ件数と蓄積されている予約ジョブ終了時間（待ち時間）をディスプレイに表示する。そして、予約ジョブ機能動作時には、予約ジョブ入力動作のみキー操作可能とし、他のキー操作及び蓄積されている予約ジョブの削除，変更は等を一切不可能とする。
【００２１】
【発明の効果】
以上説明したように、本発明によれば、予約ジョブの保護，管理を行う事が出来る。
【図面の簡単な説明】
【図１】本発明の実施形態１に係るフローチャート。
【図２】操作部。
【図３】本発明の実施形態２に係るフローチャート。
【図４】本発明の実施形態２のカウンター機能に関わる図。
【図５】本発明の実施形態３に係るフローチャート。
【図１】
2004009419.tif 000003
【図２】
2004009419.tif 000004
【図３】
2004009419.tif 000005
【図４】
2004009419.tif 000006
【図５】
2004009419.tif 000007